(57)【要約】【課題】  スパイク受けに充填される溶液を改善して振動吸収を図る。【解決手段】  筒状のスパイク受け１と、スパイク受け１に収納される第１のスパイク１０および該第１のスパイク１０上に重ねて載置された第２のスパイク２０とよりなり、第１のスパイク１０と第２のスパイク２０は上側の円柱部分１１、２１と下側の円錐部分１２、２２とで構成され、スパイク受け１に有機溶剤もしくは液体高分子材料または高分子材料の溶液３を充填する。【選択図】  図１
2010130595.tif 000002
【特許請求の範囲】
【請求項１】
スパイク受けと、該スパイク受けに納められるスパイクとよりなり、
前記スパイク受けに有機溶剤もしくは液体高分子材料または高分子材料の溶液を充填することを特徴とする振動防止支持装置。
【請求項２】
前記有機溶剤もしくは高分子材料としてジメチルスルホキサイドあるいはポリエチレングリコールを用いることを特徴とする請求項１に記載の振動防止支持装置。
【請求項３】
前記スパイクは上面に被載置機器を載置する上側の円柱部分とスパイク受けに収納される下側の円錐部分とで構成されることを特徴とする請求項１に記載の振動防止支持装置。
【請求項４】
前記スパイクは第１のスパイクと、該第１のスパイク上に重ねて載置された第２のスパイクとよりなり、
前記第１のスパイクと第２のスパイクは上側の円柱部分と下側の円錐部分とで構成されることを特徴とする請求項３に記載の振動防止支持装置。
【請求項５】
前記スパイクは上面に被載置機器を載置する上側の円柱部分と双曲線又は指数関数曲線を持つ回転曲面形状を有する下側のホーン部分とで構成されることを特徴とする請求項１に記載の振動防止支持装置。
【請求項６】
前記スパイクは第１のスパイクと、該第１のスパイク上に重ねて載置された第２のスパイクとよりなり、
前記第１のスパイクと第２のスパイクは上側の円柱部分と下側の双曲線又は指数関数曲線を持つ回転曲面形状を有する下側のホーン部分とで構成されることを特徴とする請求項５に記載の振動防止支持装置。
【請求項７】
前記スパイクを円柱に形成し、スパイク受けに充填された有機溶剤もしくは液体高分子材料または高分子材料の溶液に浮いた状態にしたことを特徴とする請求項１に記載の振動防止装置。
【請求項８】
前記スパイク受けの内部空間の上方とスパイク間にオイルシールを設けたことを特徴とする請求項７に記載の振動防止装置。
【請求項９】
底が浅い容器状に形成したスパイク受けと、
前記スパイク受けの内部に収納した載台の下面に形成したスパイクとよりなり、
前記スパイク受けに有機溶剤もしくは液体高分子材料または高分子材料の溶液を充填することを特徴とする振動防止支持装置。
【請求項１０】
前記スパイク受けおよび載台はナイロンで四角に形成し、前記載台と一体にスパイクを形成したこと特徴とする請求項９に記載の振動防止装置。
【発明の詳細な説明】
【技術分野】
【０００１】
本発明は振動防止支持装置に関し、特に、オーディオ機器あるいは顕微鏡などの精密機器を支持する振動防止支持装置に関する。
【背景技術】
【０００２】
オーディオ機器は電源トランスなどの振動源を内部に持っていたり、スピーカなどのように振動源を含んでいるため、機器内部に振動エネルギーが発生し、これらの振動が再生音に大きく影響して音質の劣化あるいは音像定位に影響を与えている。さらに、ごく微少な振動発生であるが、回路内の信号電流と周囲磁界による振動など、機器内部に種々の原因によって、振動レベルの大小、帯域幅、振動周波数がさまざまに異なる振動が発生しており、これらの振動によっても再生音に大きく影響して音質の劣化あるいは音像定位に影響を与えている。こうした対策のひとつに、特許第３８４８９８７号公報に記載されるように、円錐型スパイクがある。
【０００３】
図１１は、従来の円錐型構造のスパイクを用いた振動防止支持装置の構造を示す断面図である。スパイクはスパイク受け１１１と、スパイク受け１１１に挿入される第１のスパイク１１０と、第１のスパイク１１０に重ねられる第２のスパイク１２０とスパイク受け１１１に入れられる液体１１３とよりなる。
【０００４】
第１のスパイク１１０上側の円柱部分１１４と下側の円錐部分１１５とで構成され、第２のスパイク１２０は上側の円柱部分１２１と下側の円錐部分１２２とで構成され、円錐部分１２２は第１のスパイク１１０の円柱部分１１４の上面で支持されている。そして、第２の円柱部分１２１の上面に振動を防止するスピーカなどの音響機器が載置される。
【０００５】
このような振動防止支持装置は顕微鏡あるいは精密測定機器などで、外部からの振動を遮蔽するために実用化されている。
【０００６】
しかし円錐形状内の振動伝播特性と端部での反射の影響により伝播特性に暴れが生じ、結果として白色雑音的ノイズは完全には除去されず、振動伝播特性が十分には改善されない。
【特許文献１】特許第３８４８９８７号公報
【発明の開示】
【発明が解決しようとする課題】
【０００７】
前述したように、円錐型構造のスパイクは広く普及してその効果を発揮している。特に、多段構造では液体による振動絶縁を目的とし、副次的効果として振動吸収機能を持たせる液体が利用されている。また、一段構造の円錐スパイクにも、振動抑制オイルとしてスパイク先端が接するスパイク受けに液体を流し込んで、微小な振動吸収機能をもたせ、効果を発揮してきた。
【０００８】
しかし、従来の振動防止支持装置のスパイク受けに流し込む液体としてオイル、シリコン、水などが用いられたが、これら液体は振動絶縁が主たる目的であった。そして、スパイク受けに流し込んだこれらオイル、シリコン、水などの液体は構成分子の分子量が小さく、また粘性があるにしても、弾性による振動あるいは共振現象に至ることがなかったため、振動吸収は副次的で大きな効果はなかった。
【０００９】
スパイク受けに流し込んだオイル、シリコン、水などの液体は蒸発あるいは毛細管現象による沁み出しによって次第に目減りして最後にはなくなって乾燥状態に至り、効果がなくなってしまい、定期的にオイル、シリコン、水などの液体を補充する必要があった。
【課題を解決するための手段】
【００１０】
本発明は、スパイク受けに充填される溶液を改善した振動防止支持装置を実現するものであり、スパイク受けと、該スパイク受けに少なくとも一部分が内部に納められるスパイクよりなり、前記スパイク受けに有機溶剤もしくは液体高分子材料または高分子材料の溶液を充填する振動防止支持装置を提供する。
【００１１】
本発明は、前記スパイクが上面に被載置機器を載置する上側の円柱部分とスパイク受けに収納される下側の円錐部分とで構成される振動防止支持装置を提供する。
【００１２】
本発明は、前記スパイクが第１のスパイクと、該第１のスパイク上に重ねて載置された第２のスパイクとよりなり、前記第１のスパイクと第２のスパイクは上側の円柱部分と下側の円錐部分とで構成される振動防止支持装置を提供する。
【００１３】
本発明は、前記スパイクが上面に被載置機器を載置する上側の円柱部分と双曲線又は指数関数曲線を持つ回転曲面形状を有する下側のホーン部分とで構成される振動防止支持装置を提供する。
【００１４】
本発明は、前記第１のスパイクと第２のスパイクは上側の円柱部分と下側の双曲線又は指数関数曲線を持つ回転曲面形状を有する下側のホーン部分とで構成される振動防止支持装置を提供する。
【００１５】
本発明は、前記スパイクを円柱に形成し、スパイク受けに充填された有機溶剤もしくは液体高分子材料または高分子材料の溶液に浮いた状態にした振動防止装置を提供する。
【００１６】
本発明は前記スパイク受けの内部空間の上方とスパイク間にオイルシールを設けたこと振動防止装置を提供する。
【００１７】
本発明は、底が浅い容器状に形成したスパイク受けと、前記スパイク受けの内部に収納した載台の下面に形成したスパイクとよりなり、前記スパイク受けに有機溶剤もしくは液体高分子材料または高分子材料の溶液を充填する振動防止支持装置を提供する。
【００１８】
本発明は、前記スパイク受けおよび載台はナイロンで四角に形成し、前記載台と一体にスパイクを形成した振動防止装置を提供する。
【発明の効果】
【００１９】
本発明に依れば、スパイク受けに有機溶剤もしくは液体高分子材料または高分子材料の溶液を充填したので、高分子材料の原子間の共有結合により分子構造を保持する力および原子結合部の回転による柔軟性が生じ、これらが、外力による変形に対する復元力（剛性）を生み出して分子の質量と関連して振動子となり、更に、分子間の摩擦が大きく作用して、振動減衰の効果を拡大して効果的に振動吸収ができる。
【００２０】
また、本発明に依れば、スパイク受けに常温で液状の高分子材料または常温で液状の高分子材料の溶剤を充填したので、蒸発を防ぎ、かつ高分子材料のため毛細管現象がほとんどなく、沁み出すことがない。したがってスパイク受け皿に充填しても蒸発あるいは漏れ出すこともなく、長期にわたって振動防止効果を持続できる。
【００２１】
更に、本発明に依れば、オーディオ機器の解像力が大幅に上がり、音質、音像表現の改善ができ、これまでの技術では録音環境の細かな余韻や楽器の音色の細かな特徴を表現し切れなかった繊細さまで表現できるよう改善できている。
【００２２】
特に、高域での雑音抑制、高調波歪抑制ができ、再生音の音質を向上させるとともに、音像がよりシャープになり、音の解像度が格段に向上している。
【００２３】
スパイク受けを底が浅い容器状に形成し、スパイク受けの内部に収納した載台の下面に形成したスパイクを形成することにより、ノートパソコンなどの振動防止装置としても便利に使用できる。
【発明を実施するための最良の形態】
【００２４】
図１は本発明の円錐型構造のスパイクを用いた振動防止支持装置である。
【００２５】
スパイクはスパイク受け１と、スパイク受け１の内壁に接するように挿入された第１のスパイク１０と、第１のスパイク１０に重ねられる第２のスパイク２０とスパイク受け１に入れられる有機溶剤もしくは常温で液体高分子材料３または常温で高分子材料の溶液３とよりなる。
【００２６】
第１のスパイク１０上側の円柱部分１１と下側の円錐部分１２とで構成され、第２のスパイク２０は上側の円柱部分２１と下側の円錐部分２２とで構成され、円錐部分２２は第１のスパイク１０の円柱部分１１の上面で支持されている。そして、第２のスパイク２０の円柱部分２１の上面に振動を防止するスピーカなどの音響機器が載置される。
【００２７】
本発明では、特に、高分子材料のうち紐状に重合された高分子材料を用いる。例えば、ポリエチレングリコール（ＰＥＧ）など、液状もしくは固体を水に溶かした水溶液または液状のＰＥＧに固体状のＰＥＧを溶かした溶液が用いられる。
【００２８】
高分子材料の原子間の共有結合により分子構造を保持する力と結合部分での回転による柔軟性の相互作用により広い変形範囲を持つ剛性(弾性)を生み出し、分子および分子周囲に付着する水など溶剤の分子の質量との相互作用で振動子を構成している。更に、分子間および分子周囲に付着する水など溶剤の分子間の摩擦が大きく作用して、振動減衰の効果を拡大して効果的に振動吸収ができる。
【００２９】
また、スパイク受けに常温で液状の高分子材料または常温で液状の高分子材料の溶剤を充填したので、蒸発を防ぎ、かつ高分子材料のため毛細管現象がほとんどなく、沁み出すことがない。従って、スパイク受け皿に充填しても蒸発あるいは漏れ出すこともなく、長期にわたって振動防止効果を持続できる。
【００３０】
上述した形態ではダブルスパイクについて説明したが、単一のスパイクでも適用ができる。
【００３１】
図２は本発明の指数型構造のスパイクを用いた振動防止支持装置である。
【００３２】
本発明の振動防止支持装置はスパイク受け３０とスパイク４０とよりなる。スパイク受け３０は底部３２を有する円筒状の筒で構成され、内径はちょうどスパイク４０が挿入される大きさになっている。スパイク受け３０の底部３２の中央に円錐台形の窪み３３が設けられている。
【００３３】
スパイク４０は円柱部分４１と双曲線または指数関数曲線を稜線に持つ回転曲面形状を有するホーン部分４２とよりなる。スパイク４０の円柱部分４１はＯリング４５でスパイク受け３０の内径に接している。ホーン部４２の先端部はスパイク３０の底部３２にある窪み３３に嵌合している。
【００３４】
なお、図２ではスパイク４０は１段であるが、図１と同様に、スパイク４０は２段に積み重ねても良い。
【００３５】
スパイク受け３０の内部には前述と同様に、有機溶剤もしくは常温で液体高分子材料３または常温で高分子材料の溶液３が充填されている。
【００３６】
高分子材料は１次元構造、さらに複雑な２次元構造、３次元構造と各種構造で重合した物質であり、共有結合力で、これらの構造を維持する性質を持っている。そのため振動などの外力により変形させられたとき元に戻る復元力を発生し、質量による慣性力とあいまって外力と同じ周波数の振動を発生する。この振動による内部摩擦により振動エネルギーが吸収される。溶液の場合はさらに分子の周りに水の分子など液体の分子が付着して１つの分子の質量が増加し，かつこれらの分子を振動させることで振動エネルギーの吸収効果が高まる。さらに、１次元構造の端を２また３次元的に結合させた２または３次元の網目構造も作ることができ、この網目の内部に水などの分子を取り込ませて振動吸収性能をさらに向上させることも可能である。
【００３７】
また、有機溶剤もしくは高分子材料には、分極モーメントの効果が大きいものがあり、電磁波により構成分子が回転し、電磁エネルギーを吸収する効果を持つ。この効果により、回路や回路基板に生じる電磁界による振動発生の抑制が見込まれる。
【００３８】
例えば、分子量１００万のポリエチレングリコール（ＰＥＧ）では、炭素Ｃと水素Ｈ２および酸素Oの単位（−ＣＨ２−ＣＨ２−O−）が７万個以上も直列に共有結合して鎖状の構造をしており、ＣとＣの結合は約１１０度の角度で結合し１８０°の角度で結合するOをはさんで長さ約１．５ｍｍ程度の非常に細長い紐状になっていると考えられる。この紐は、これらの共有結合の角度を保とうとする硬い性質を持っている。一方で、各結合は結合の軸を中心に回転しうる柔軟な構造となっている。水溶液とした場合、この紐は部分的に他の紐と絡まりあって内部に水の分子を取り込んでいる。このためこれらの紐が相互にまたは間に水などの分子を付着させて取り込む形で複雑に絡み合うことにより、部分的に拘束されて弾性力のある紐となっており、バネを形成していると考えられる。一方、分子量が大きくさらに水などの分子が付着することで１本の紐の質量は大きくなって、バネと各分子の質量の相互関係により振動系を形成している。したがって、外力によって液内部に振動を生じ外部振動の周波数が固有振動数と一致する場合、共振により大きく振動して、紐と紐の間および紐の周りに付着している水などの溶液の分子との間の摩擦により振動エネルギーが吸収される、一種のバネ−ダンパ−マス系を構成して振動吸収効果を大きくしている。溶液3として利用できる有機溶剤もしくは高分子材料としては、ジメチルスルホキサイド（DMSO）、アセトン、アセトニトリル、1,3-ジメチル-2-イミダゾリジノン（DMEU）、N,N-ジメチルホルムアミド（ＤＭＦ）、N-メチル-2-ピロリドン(NMP) 、ＨＭＰＡ、スルホラン（ＳＦ）、ジメチルスルホン（ＭＳＭ）、ポリエチレングリコール（ＰＥＧ）、エポキシ樹脂、ポリスチレン、ポリイミド、アクリル樹脂、ポリエステル樹脂、などが挙げられる。
【００３９】
図３は本発明の指数型構造のスパイクを用いた振動防止支持装置を被載置機器に使用した側面図、図４はその上面図である。
【００４０】
被載置機器としてスピーカ５０を使用している。スピーカ５０はトゥイータ５１とウーハ５２を有し、メインアンプからの入力信号によりコーン紙などの振動板を振動して音を再生する。スピーカの下には本発明の振動防止支持装置１００が置かれており、スピーカからの振動を吸収する。
【００４１】
図４に示すように、振動防止支持装置１００はスピーカ５０の前方下面に１個、後方下面に２個置かれている。
【００４２】
また、溶液３として、ポリエチレングリコール（ＰＥＧ）およびその水溶液など高分子材料溶液を用いた。
【００４３】
表１に、図３に示すように本発明の指数型構造のスパイクを用いた振動防止支持装置を被載置機器に使用した場合と、同様にして溶液に従来のシリコン１０（信越シリコン社製）とを用いたものを比較した結果を示す。
【００４４】
なお、試聴したＣＤは箏曲（六段の調べ）、ヴィヴァルディ：調和の霊感（演奏：イタリア合奏団）、ワーグナー:楽劇「指輪」より第２夜「ワルキューレ第１幕」（バイロイト音楽祭ライブ６４’）である。
【００４５】
【表１】
2010130595.tif 000003
表に示すように、本発明の指数型構造のスパイクを用いた振動防止支持装置を用いることにより、音の立ち上がりのきつさが取れ、心地よい音になった。うるさくなく、しっとりした伸びのある音で、楽器の存在感が明確になった。あるいは音に深み・真実味が出てきて、楽器の存在感が明確になり、「サー」と言う高周波域の雑音が無く、透明感のある音となった。一つ一つの音の余韻や音の伸びが表現され、楽器周辺の空間の広がりや残響感を感じ取れるようになり、音像の奥行き方向への配置の間隔が広がって分かりやすくなる等多くの効果が得られた。
【００４６】
図５は、図３に示すような形態で、本発明の指数型構造のスパイクを用いた振動防止支持装置を被載置機器に使用した場合と、同様にして溶液に従来のシリコン１０（信越シリコン社製）とを用いた振動防止支持装置を被載置機器に使用した場合の音像定位について比較した結果を示す。
【００４７】
また、図５はワーグナーの曲の例を示している。
【００４８】
図５（Ｂ）（Ｄ）は本発明の振動防止支持装置を用いた音像定位で、図５（Ａ）（Ｃ））は従来の溶液にシリコン１０を用いた振動防止支持装置を用いた音像定位である。
【００４９】
図５（Ａ）（Ｂ）は被験者ＳとスピーカＰとを上から見た平面図で、音像定位の前後と左右の変化を示す。
【００５０】
図５（Ｃ）（Ｄ）は被験者ＳとスピーカＰとを平面図から見た正面図で、音像定位の上下と左右の変化を示す。
【００５１】
なお、各楕円はスピーカＰから放射された音により認識した音像認識位置を示すもので、Ｔはティンパニの音像位置、Cはチェロの音像位置、Ｍは金管楽器の音像位置、TNはテノール（ソロ）の音像位置を示す。
【００５２】
本発明の高分子材料溶液を用いた振動防止支持装置は従来のシリコン１０を用いた振動防止支持装置に比較して、音像位置が上下方向および前後の距離感において明確に認識できる。
【００５３】
表２および図６は、円錐型構造のスパイクを用い、本発明の高分子材料溶液を用いた振動防止支持装置と従来の水を用いた振動防止支持装置および振動防止支持装置を使用しない場合を比較した。
【００５４】
ファリャ作曲のバレエ組曲「三角帽子」を試聴し、ヴォーカル、カスタネット、トランペット、ティンパニの音像位置および全体的音質の変化を調べた。
【００５５】
表２に、被験者は４名で、音質の評価は１から５点の５段階評価とし、各項目について比較を行った結果を示す。各項目は、2チャンネルステレオ装置が備えるべき音場再現能力、音の分解能（解像度）、忠実性、低雑音性能などを評価する用語であり、評価１は最悪な状態、評価５は最良の状態を意味する。評価の点数は、被験者個人の主観に寄るが、概ね、演奏会場など実音場での経験を基準に、上記の評価ポイントが非常に優れている（理想状態に近い）場合５、それから離れるにしたがって点数が下がっていく。
【００５６】
【表２】
2010130595.tif 000004
表２に示すように、振動防止支持装置を使用しない場合の評価が最低であるのに対し、水を充填したスパイクを用いることで音質が改善されることが示される。更に、充填溶液としてＰＥＧを用いるなら、更にすべての項目において評価点が１以上増加しており、ＰＥＧ溶液が非常に有効であることが示される。
【００５７】
図６は特性図で表したもので、本発明の高分子材料溶液を用いた振動防止支持装置そしてスパイクを使用しないもので音質の比較をした結果を示す。■の線が本発明の高分子材料溶液を用いた振動防止支持装置、◆の線が従来の水を用いた振動防止支持装置、×の線が振動防止支持装置を使用しないものである。
【００５８】
本発明の高分子材料溶液を用いた振動防止支持装置がすべての項目において、従来の水を用いた振動防止支持装置に比較して評価点が高く、ＰＥＧ溶液の効果が非常に有効であり、解像力、奥行、広がり、音質など全ての点において、本発明の高分子材料溶液を用いた振動防止支持装置は振動防止支持装置を用いないもの、あるいは従来の水を用いた振動防止支持装置に比して優れていることを示している。
【００５９】
図７は本発明の高分子溶液を円錐型構造のスパイクに用いた振動防止支持装置を被載置機器に使用した場合と、従来の水に円錐型構造のスパイクを用いた振動防止支持装置を被載置機器に使用した場合の音像定位について比較した結果を示す。
【００６０】
図７（Ｂ）（Ｄ）は本発明の振動防止支持装置で、図７（Ａ）（Ｃ）は従来の溶液に水を用いた振動防止支持装置で、スピーカＰの下に適用した結果を示す。
【００６１】
図７（Ａ）（Ｂ）は被験者ＳとスピーカＰとを上から見た平面図で、音像定位の前後と左右の変化を示す。
【００６２】
図７（Ｃ）（Ｄ）は被験者ＳとスピーカＰとを平面図から見た正面図で、音像定位の上下と左右の変化を示す。
【００６３】
なお、各楕円はスピーカＰから放射された音により認識した音像認識位置を示すもので、Ｃはカスタネットの音像位置、Ｖはヴォーカルの音像位置、Ｔはトランペットの音像位置、Ｔｉはティンパニの音像位置を示す。
【００６４】
本発明の高分子材料溶液を用いた振動防止支持装置は従来の水を用いた振動防止支持装置に比較して、音像位置が上下方向および前後の距離感において明確に認識されている。
【００６５】
本発明の振動防止支持装置に示すように、スパイク受け１に充填する溶液３に高分子材料を用いることで、オーディオ機器の解像力が大幅に上がり、音質、音像表現の改善が出来、これまでの技術では録音環境の細かな余韻や楽器の音色の細かな特徴を表現し切れなかった繊細さまで表現できるよう改善できている。これは、高分子材料が持つ巨大分子内の固い結合（共有結合による形状維持）および分子間結合の回転による柔軟性と長い繊維状の構造による弾性力と分子質量の共振による振動吸収が主たる原因と考えられる。これにより、振動吸収が効率よく行われ、しかも、分子量のバラツキにより共振周波数の帯域が広くなっており、振動吸収効果が広帯域に及んで、雑音の低減などに結びついたと考えられる。
【００６６】
これらの結果より、スパイク受け１内に充填する液体の効果は十分にあり、かつ、ＰＥＧを用いるとその効果を非常に大きくし、音像定位、録音現場での状況の再現性、音質の改善性能が非常に良くなることが言える。特に、高域での雑音抑制、高調波歪抑制ができ、再生音の音質を向上させるとともに、音像がよりシャープになり、音の解像度が格段に向上している。スパイクのみでの使用に対し、溶液の使用により著しい改善が見られる。
【００６７】
図８は本発明の振動防止支持装置の他の実施例の構造を示す断面図であり、図９は本発明の振動防止支持装置の他の実施例の構造を示す平面図である。
【００６８】
円形のスパイク受け５０の内部には円柱状の空間が形成され、その空間の下方には常温で液体高分子材料３または常温で高分子材料の溶液３が充填されている。また空間部には円柱のスパイク５１がＯリング５２でスパイク受け５０の内径に接しており、スパイク５１はスパイク溶液３に浮いた状態にされている。スパイク受け５０の内部空間の上方にはオイルシール５３が設けられて、溶液３が漏れないようにしている。
【００６９】
なお、スパイク５１を貫いて溶液３の注入パイプ５４が設けられている。
【００７０】
スパイク５１の上面には前述と同様に、オーディオ機器あるいは精密機器が載せられる。載せられたオーディオ機器あるいは精密機器は溶液３により振動が吸収されるようにしている。
【００７１】
図１０は本発明の振動防止支持装置の他の実施例の構造を示す断面図である。
【００７２】
スパイク受け５０はナイロンで底が浅い四角の容器状に形成されており、内部空間には
常温で液体高分子材料３または常温で高分子材料の溶液３が充填されている。またスパイク受け５０の内部にはナイロンで形成された四角の載台６１が収納され、載台６１の下面四箇所には溶液３に浸るようにスパイク６２、６２が形成されている。載台６１の周囲とスパイク受け６０間にはコーキング剤６３が設けられている。
【００７３】
載台６１にはＡ４タイプのパソコン本体あるいは周辺機器が載せられる。載せられたパソコンあるいは周辺機器は溶液３にて振動が吸収される。
【図面の簡単な説明】
【００７４】
【図１】本発明の振動防止支持装置の構造を示す断面図である。
【図２】本発明の振動防止支持装置の構造を示す他の実施例の断面図である。
【図３】本発明の振動防止支持装置を適用したスピーカを示す側面図である。
【図４】本発明の振動防止支持装置を適用したスピーカを示す平面図である。
【図５】スピーカに振動防止支持装置を用いた音像定位置の比較を示す模型図で、図５（Ａ）は従来の振動防止支持装置を用いた平面図、図５（Ｂ）は本発明の振動防止支持装置を用いた平面図である。図５（Ｃ）は従来の振動防止支持装置を用いた正面図、図５（Ｄ）は本発明の振動防止支持装置を用いた正面図である。
【図６】本発明の振動防止支持装置と従来の振動防止支持装置の音改善の比較を示す特性図である。
【図７】スピーカに振動防止支持装置を用いた音像定位置の比較を示す模型図、図７（Ａ）は従来の振動防止支持装置を用いた平面図、図７（Ｂ）は本発明の振動防止支持装置を用いた平面図である。図７（Ｃ）は従来の振動防止支持装置を用いた正面図、図７（Ｄ）は本発明の振動防止支持装置を用いた正面図である。
【図８】本発明の振動防止支持装置の構造を示す他の実施例の断面図である。
【図９】本発明の振動防止支持装置の構造を示す他の実施例の平面図である。
【図１０】本発明の振動防止支持装置の構造を示す他の実施例の断面図である。
【図１１】従来の振動防止支持装置の構造を示す断面図である。
【符号の説明】
【００７５】
１    スパイク受け
３    液体高分子材料または高分子材料の溶液
１０  第１スパイク
１１  円柱部分
１２  円錐部分
２０  第２スパイク
３０  スパイク受け
４０  スパイク
４２  ホーン部分
５０  スパイク受け
【図１】
2010130595.tif 000005
【図２】
2010130595.tif 000006
【図３】
2010130595.tif 000007
【図４】
2010130595.tif 000008
【図５】
2010130595.tif 000009
【図６】
2010130595.tif 000010
【図７】
2010130595.tif 000011
【図８】
2010130595.tif 000012
【図９】
2010130595.tif 000013
【図１０】
2010130595.tif 000014
【図１１】
2010130595.tif 000015